(57)【要約】【課題】従来の美容器は、長期に亘って続けることによって初めて、各種のマッサージ効果等による美顔作用が徐々に現れる場合が多いために、辛抱強く続けるとともに、絶えず手を動かさなければならず、根気と労力が必要であった。【解決手段】本発明による美容ローラー装置は、２個の円筒状ローラー１ａ、１ｂと、前記各ローラーを回転可能に支持する支持部材２と、前記各ローラーを回転させるための駆動機構とを備える美容ローラー装置において、前記支持部材は、前記各ローラーの軸方向が互いにほぼ平行となるように、前記各ローラを支持し、前記駆動機構は、前記各ローラーを皮膚に当接させたときに各ローラーが互いに皮膚を引っ張り合うように、前記各ローラーを逆向きに回転させることを特徴とするものである。【選択図】    図１
2004242770.tif 000002
【特許請求の範囲】
【請求項１】
２個の円筒状ローラーと、前記各ローラーを回転可能に支持する支持部材と、前記各ローラーを回転させるための駆動機構とを備える美容ローラー装置において、
前記支持部材は、前記各ローラーの軸方向が互いにほぼ平行となるように、前記各ローラーを支持し、
前記駆動機構は、前記各ローラーを皮膚に当接させたときに各ローラーが互いに皮膚を引っ張り合うように、前記各ローラーを互いに逆向きに回転させることを特徴とする美容ローラー装置。
【請求項２】
前記駆動機構は、前記各ローラーのうち、少なくとも１個のローラーの内側に収容されたローラー駆動モーターを備えることを特徴とする請求項１の美容ローラー装置。
【請求項３】
前記支持部材、又は該支持部材に連接した把持部材に、前記支持部材を介して前記各ローラーを振動させるための振動デバイスを取り付けたことを特徴とする請求項１の美容ローラー装置。
【請求項４】
前記美容ローラー装置の外表面のうち、前記ローラーの表面を除く領域の一部に、マイナスイオンを発生する材料を塗布するか、マイナスイオンを発生する材料からなるシートを貼り付けたことを特徴とする請求項１の美容ローラー装置。
【請求項５】
前記ローラーの内部、あるいは支持部材、又は把持部材に、精神をリラックスさせる音を発生する機構を取り付けたことを特徴とする請求項１の美容ローラー装置。
【発明の詳細な説明】
【０００１】
【発明の属する技術分野】
本発明は、円筒状ローラーを回転させながら肌に接触させて軽く摩擦することにより、皮膚を適度に刺激して血行を促進し、新陳代謝を活発にさせ、その結果、肌のシミやシワを軽減する効果が期待できる美容ローラー装置に係る。
【０００２】
【従来の技術】
従来の美容ローラー装置は、表面がゲルマニウム、金、トルマリン、セラミック等からなる円筒状の回転体（ローラー）と、それを支える支持部材などを備え、そのローラーの回転によって、円筒面が皮膚に接しながら、コロコロと転がるように回転自在な構造になっているものが多い。このローラーの回転によるマッサージ効果によって皮膚の新陳代謝を活発にすることを目的としている。
【０００３】
このローラーによるマッサージは、長期間に亘って続ければ効果が現れるものであると一般的にいわれている。このマッサージ効果をさらに強め、早期に効果が現れるようにするためにとの考えから、ローラーの表面材料として、上記のような種々の材料が採用されている。
【０００４】
さらに、内蔵した振動装置を稼動することで、ローラー部に振動を与えることのできる美容器や、ローラー部を加熱できるような美容器も提案されており、この振動や加熱などによって、マッサージ効果を高めて、少しでも早く、且つより効率的に美容効果が現れるように工夫されている。
【０００５】
しかし、上記のような従来の美容器は、長期に亘って続ける（例えば、１日１０〜１５分ずつ、数ヶ月以上）ことによって初めて、各種のマッサージ効果等による美容作用が徐々に現れる場合が多い。そのために、辛抱強く続けるとともに、絶えず手を動かさなければならず、根気と労力が必要である。しかも、短期的には効果が明確に目に見えることが期待できないことも、続ける事の難しさの原因にもなっている。
【０００６】
そこで、この種のローラーを自動化したマッサージ装置が提案されている（例えば、実用新案文献１）。即ち、ローラーを電動式にして労力を軽減しようとするものである。しかし、この１つの電動ローラーによってマッサージしようとした場合、回転とともに、接触している皮膚面が移動してしまうことがあり、効果が少ない。この際、移動しないようにと強く押さえすぎる危険性がある。特に顔のマッサージにおいては注意が必要である。
【０００７】
また、肩、腰、背中、足などのようにある程度押しつける必要のある部分のマッサージ用としては、皮膚とローラーの間の摩擦が強すぎて、皮膚を損傷することがないように粘性液を利用する方法も提案されている（実用新案文献２）。しかし、顔をマッサージする場合、筋肉をあまり動かさずに、皮膚の表面を軽く擦ることが重要で、強く押さえつけないように注意しなければならない。強すぎると大きく筋肉を動かすことになり、却ってシワを増加させてしまうという危険性がある。
【０００８】
【実用新案文献１】
実開平７−１２１３７号公報
【実用新案文献２】
実公平４−２６６４号公報
【０００９】
【発明が解決しようとする課題】
そこで、本発明は、顔の皮膚に軽く、ほぼ均等に当てるだけで、筋肉をあまり動かさずに、皮膚表面を適度に刺激して血行を促進し、新陳代謝を活発にさせる効果があり、かつ、手をあまり動かすことなくマッサージを施すことのできる美容ローラー装置を提供するものである。
【００１０】
【課題を解決するための手段】
本発明による美容ローラー装置は、２個の円筒状ローラーと、前記各ローラーを回転可能に支持する支持部材と、前記各ローラーを回転させるための駆動機構とを備える美容ローラー装置において、
前記支持部材が、前記各ローラーの軸方向が互いにほぼ平行となるように、前記各ローラーを支持し、
前記駆動機構が、前記各ローラーを皮膚に当接させたときに各ローラーが互いに皮膚を引っ張り合うように、前記各ローラーを逆方向に回転させることを特徴とするものであり、
さらに好ましくは、前記支持部材、又は該支持部材に連接した把持部材に、前記支持部材を介して前記各ローラーを振動させるための振動デバイスを取り付けたことを特徴とするものである。
【００１１】
上記本発明の構成によれば、２個のローラーがほぼ同じ圧力で、且つできるだけ広い範囲で、顔の皮膚に接するように軽く宛がうことによって、皮膚表面を軽く摩擦することができ、皮膚を適度に刺激して血行を促進し、新陳代謝を活発にさせ、その結果、肌のシミやシワを軽減する効果が期待できる。
【００１２】
さらに、ローラーに振動を与えた場合、振動が肌に伝わることによる振動マッサージ効果が加わり、且つ皮膚とローラーとの接触摩擦力を適度に保つ効果もあり、美容ローラー装置の美顔効果を一層強化することになる。
【００１３】
【発明の実施の形態】
以下、本発明の実施例について、図面を参照しながら詳細に説明する。
【００１４】
本発明の第一実施例による美容ローラー装置は、図１（側面図）及び図２（部分斜視図）に示すように、２個のローラー１ａ，１ｂと、それらを回転可能に支持する支持部材２と、該支持部材に連接した把持部材３を備える。ローラー１ａ，１ｂの内部には、各ローラーを回転させるための駆動機構が配置されている。
【００１５】
駆動機構は、図３に示すように、ローラー駆動モーター４の軸に複数個のギアからなる減速用ギア部５が接続されており、最終的に回転数が例えば４０ｒｐｍ程度にまで減速され、その減速された最終ギアの回転軸は、円筒部１７に回転を伝えるための回転伝達部６に挿入・固定されている。その回転伝達部６は円筒部１７の片端に挿入・固定されて、回転軸の回転数と同じ回転数で円筒部１７が回転するように構成されている。
【００１６】
一方、ローラー駆動モーター４は、モーター固定部７に挿入・固定され、そのモーター固定部７の一部を、ベアリング８の内側のリングに挿入・固定するとともに、反対側に突出させる。
【００１７】
また、ベアリング８の外側のリングは、円筒部１７のもう一方の片端に挿入・固定される。ローラー駆動モーター４への電源供給用リード線９は、モーター固定部７を通してベアリング８の挿入・固定側から、ローラーの外部に引き出され、把持部材３に内蔵された電池１０及びスイッチ１８に接続される。
【００１８】
回転伝達部６の外側には、円錐状凹部１１が形成されており、支持部の支持腕１２ｂに設けられた円錐状突部１３が嵌ることで、ピボット軸受を構成する。
【００１９】
ローラーのもう一方の端部（回転伝導部が挿入・固定された側とは反対側）にはベアリング８が挿入・固定されているが、そのベアリング８の内側のリングにモーター固定部７を構成する突出部が挿入・固定されるとともに、その先端部はリングから突き出ており、図４（正面図）に示すように、その突出部は支持部材２の反対側の支持腕１２ａに固定されている。各ローラーの支持部材２は把持部材３につながっており、その把持部材３には、ローラー内の駆動機構を構成するローラー駆動モーター４への電源供給用リード線９が導かれており、把持部材３に内蔵された電池１０及びスイッチ１８に接続されている。
【００２０】
ローラーの円筒部１７は、アルミニウムの基体に銀メッキを施してある。その他、基体材料としては、前記アルミニウム以外に、銅、鉄、ステンレスなどの金属や、セラミック、ガラス、シリコンゴム、樹脂などを用いることができる。また、表面材料としては、前記銀以外に、金、クロム、チタン、ゲルマニウムなどの、耐食性があり、且つ肌触りの良い材料が適しており、その形成法は前記メッキ法以外に、薄い箔を貼り付ける方法や、スパッタリングや蒸着のような物理的成膜法もあり、選択可能である。ここで、特に表面材料としては、例えば、ニッケルやバナジウムは、発ガン性やアレルギー性があるといわれており、使用は差し控えたほうが良い。このように、直接皮膚に接する部分に用いる材料は、安全性も充分考慮して選ぶ必要がある。なお、表面材料を形成せずに、基体材料だけで構成しても良い場合もある。基体材料として、例えば、銀やステンレス、セラミック、樹脂、シリコンゴムなど、直接皮膚に接する部分に用いる材料としても適したものを用いる場合は、その上にさらに表面材料を形成しなくても良い。
【００２１】
本実施例装置は、ローラーがお互いに逆向きに回転するような回路構成となっている。即ち、皮膚に当てた時に、お互いに皮膚を引っ張り合う方向に回転する。本装置の把持部材３を手に持って、２個のローラー１ａ，１ｂがほぼ同じ圧力で、且つできるだけ広い範囲で、顔の皮膚に接するように軽く宛がうことによって、皮膚表面を軽く摩擦することができ、その際のマッサージ効果により、筋肉をあまり動かさずに皮膚表面を適度に刺激して血行を促進し、新陳代謝を活発にさせ、その結果、肌のシミやシワを軽減する効果が期待できるものである。
【００２２】
本実施例装置は、従来の美容ローラー装置のように皮膚面をコロコロと転がすために絶えず手を動かしているという動作は必要ではなく、摩擦する必要のない部分を除いて、顔のできるだけ広い範囲をマッサージするために、当てる場所を徐々に移動するという動作さえ行えばよい。この際、ごく表面の皮膚をマッサージするために、軽く宛がうだけでよい。したがって、労力はわずかであり、面倒さは軽減されるため、長続きもし易く、その結果、効果が現れないうちに中途半端で終わってしまうようなことも少なくなる。
【００２３】
次に、本発明の第二実施例について説明する。本実施例では、ローラーの支持部材２（もしくは把持部材３でも良いが、この場合は、できるだけ上方の位置）に振動を発生するデバイス（以下、振動デバイス１４で表す）を取り付けた。図５にその例を示すが、ここでは振動デバイス１４の駆動用配線は省略してある。なお、本実施例においては、振動デバイスとして、振動モーターを用いた。第一の実施例に示す機能はそのままで、その上に、ローラーには振動デバイス１４からの振動が加わって、その振動が肌に伝わることによる振動マッサージ効果が加わり、且つ皮膚とローラーとの接触摩擦力を適度に保つ効果もあり、美容ローラー装置の美顔効果をより一層強化することになる。
【００２４】
さらに、本発明の第三実施例について説明する。本実施例では、ローラーの円筒部１７が、軟磁性材料から構成されているか、もしくは図６に示すように、円筒部１７の内側でかつローラー駆動モーター４及び減速用ギア部５の外側の位置に、軟磁性材料からなる磁場遮蔽用の円筒状のシールド部材１５が配置されているか、もしくは、ローラーの円筒部が、軟磁性材料から構成されていると共に、円筒部の内側で且つローラー駆動モーター４及び減速用ギア部５の外側の位置に、前記シールド部材１５が配置されている。
【００２５】
一般にモーターからは磁場が発生し、その大きさはモーターの消費電力（特に電流）によって異なる。このような磁場は、強さによっては、他の精密機器に影響を及ぼすことも考えられる。
【００２６】
したがって、ローラー内部のローラー駆動モーター４からローラーの外部に漏洩する磁場を減少させたい場合には、本実施例に示す対策を実施すればよい。
【００２７】
具体例として、ローラーの円筒部１７を鉄合金などの軟磁性材料とするのが望ましい。また、他の対策として、円筒部１７の内側で、かつローラー駆動モーター４及び減速ギア部５の外側の位置に、円筒状のシールド部材１５として、パーマロイ合金などの高透磁率材料を配置する。これらの対策を同時に実施することによって、効果はより大きくなる。
【００２８】
なお、シールド部材１５の形状は必ずしも継ぎ目のない円筒でなくても良く、シート状のものを丸めても良い。さらに、シールド効果は磁場発生源を極力覆うほうがよいため、より広い範囲にローラー駆動モーターを囲う形状が望ましいことは言うまでもない。
【００２９】
上記の第一実施例及び第三実施例においては、ローラーの内部には、各ローラーを回転させるためのローラー駆動モーターが収容されているという例で説明したが、一方のローラーの内側だけに、ローラー駆動モーターを収容して、その回転力を、外部に配置した複数のギアを使用することによって、他方のローラーに伝達して、そのローラーを逆向きにほぼ同じ回転数で回転させることもできる。この場合、ローラー駆動モーターを収容しないローラーにはシールド部材は必要ない。両方のローラーを外部に配置したローラー駆動モーターによって回転させる場合にもシールド部材は必要でないことは言うまでもない。
【００３０】
さらに、本発明の第四実施例について説明する。本実施例では、図７や図８に示すように、ローラーの円筒部１７の表面に溝１６が形成されていることを特徴とする。本発明の美容ローラー装置は、汗をかいた状態で使用する場合などには、皮膚とローラーとの摩擦が大きすぎて皮膚を引っ張る力が強くなることがある。これを避けるために、ローラーの円筒部１７の表面に溝を形成したのが、第四実施例である。
【００３１】
溝の大きさや形状については、摩擦力を軽減するために、接触面積を適当に小さくするものであれば良く、したがって、種々のものが可能である。例えば、回転軸方向に垂直な方向の溝１６を形成した場合の例を図７（円筒部正面図）に示す。その他、図８（円筒部側面図）のように、回転軸方向に平行な溝１６を形成した場合や、垂直及び平行方向の溝を形成した場合がある（図は省略）。その他、斜め方向に溝を形成するなど、種々の変形が考えられる。
【００３２】
さらに、本発明の第五実施例について説明する。本実施例は、ローラーの支持部材や把持部材、あるいはそれらに接続された部材等、美容ローラー装置の外表面のうち、ローラーの表面を除く領域の一部に、マイナスイオンを発生するインキ等のマイナスイオン発生材を塗布するか、マイナスイオンを発生させるシートを貼り付けることを特徴とする。ここで、マイナスイオン発生材をローラー表面材料に使用することも考えられるが、表面材料としては、第一実施例に示したように、肌触りが良く、安全性も高い銀等を用いるのが良い。
【００３３】
マイナスイオンは、呼吸によって血液中に取り込まれ、血液が酸性側に偏らないように調整する働きがあるといわれている。その結果、美容や健康に良い効果をもたらすことが期待できる。美容ローラー装置は、顔面に対して使用することが多いので、この美容ローラー装置の支持部材や把持部材にマイナスイオン発生材を塗布または貼付すれば、口や鼻からマイナスイオンを効果的に体内に取り込みやすくなる。また、人体はプラスに帯電することが多く、マイナスイオンは、この正電荷を打ち消す働きもあるといわれている。
【００３４】
さらに、本発明の第六実施例について説明する。本実施例では、ローラーの内部、あるいは支持部材、もしくは把持部材に、オルゴール等の、精神をリラックスさせる快い音を発生する機構を取り付けた。美容には、精神状態が大いに影響するともいわれており、リラックスしながら、本美容ローラー装置を使用することで、より一層の美容効果が期待できる。
【００３５】
なお、本発明は、美顔用として、実施例を示してきたが、顔以外の部分の皮膚を美しくするための効果もあることはいうまでもない。
【００３６】
【発明の効果】
本発明の美容ローラー装置は、２個のローラーが、その軸方向が互いにほぼ平行となるように取り付けられ、この２個のローラーが逆向きで、且つ、皮膚に当接した場合に皮膚を引っ張り合う方向に回転するように構成されており、これら２個のローラーがほぼ同じ圧力で、且つできるだけ広い範囲で、顔の皮膚に接するように軽く宛がうだけで、手をあまり動かすことなく、皮膚表面を軽く摩擦することができ、筋肉をあまり動かさずに皮膚表面を適度に刺激して血行を促進し、新陳代謝を活発にさせ、その結果、肌のシミやシワを軽減する効果が期待できるものである。このように、労力が少なくて、大きな効果が得やすいため、継続して実施することが可能になり、効果が現れないうちに中途半端で終わってしまうようなことも少なくなる。
【００３７】
さらに、ローラーに振動を与えた場合、振動が肌に伝わることによる振動マッサージ効果が加わり、且つ皮膚とローラーとの接触摩擦力を適度に保つ効果もあり、美容ローラー装置の美顔効果をより一層強化することになる。
【図面の簡単な説明】
【図１】本発明の第一実施例による美容ローラー装置の側面図である。
【図２】本発明の第一実施例による美容ローラー装置の部分斜視図である。
【図３】本発明の第一実施例による美容ローラー装置の、ローラー内部の構造を示す図である。
【図４】本発明の第一実施例による美容ローラー装置の正面図である。
【図５】本発明の第二実施例による美容ローラー装置の正面図である。
【図６】本発明の第三実施例による美容ローラー装置の、ローラー内部の構造を示す図である。
【図７】本発明の第四実施例による美容ローラー装置のローラーに、回転軸方向に垂直な方向の溝を形成した場合の例を示す円筒部正面図である。
【図８】本発明の第四実施例による美容ローラー装置のローラーに、回転軸方向に平行な溝を形成した場合の例を示す円筒部側面図である。
【符号の説明】
１ａ，１ｂ  ローラー
２  支持部材
３  把持部材
４  ローラー駆動モーター
５  減速用ギア部
１４  振動デバイス
１７  円筒部
【図１】
2004242770.tif 000003
【図２】
2004242770.tif 000004
【図３】
2004242770.tif 000005
【図４】
2004242770.tif 000006
【図５】
2004242770.tif 000007
【図６】
2004242770.tif 000008
【図７】
2004242770.tif 000009
【図８】
2004242770.tif 000010